(57)【要約】【課題】工具収容ケースにおいて、工具収容ケース全体の大きさを抑えて、アクセサリの収納や取出しを簡単に行うことができるようにする。【解決手段】本体ケース１１は、手で握ることが可能なハンドル３０を有している。アクセサリケース５０は、アクセサリを保持可能なアクセサリ保持体５１と、アクセサリ保持体５１を開け閉めするアクセサリ蓋部６１とを有している。ここで、アクセサリケース５０が固定される本体ケース１１の位置が、本体ケース１１のハンドル３０の配設側に設定されている。本体ケース１１のハンドル３０の配設側には、ハンドル３０を手で握ることができるように手握り可能なスペースが設けられている。このスペースは、ハンドル３０を手で握ることがない場合に空きスペースとして確保され、この空きスペースを利用して、このハンドル３０の配設側に設定されるアクセサリケース５０に対してアクセスし易くなっている。【選択図】図３
2014128851.tif 000002
【特許請求の範囲】
【請求項１】
工具を保持可能な工具収容本体と該工具収容本体を開け閉めする蓋とを有する本体ケースと、外側に面して該本体ケースに固定可能にされるサブケースとを有する工具収容ケースであって、
前記本体ケースは、手で握ることが可能なハンドル部を有し、
前記サブケースは、アクセサリを保持可能なアクセサリ保持体と、該アクセサリ保持体を開け閉めするアクセサリ開閉部とを有し、
前記サブケースが固定される前記本体ケースの位置が、該本体ケースの前記ハンドル部の配設側に設定されている、ことを特徴とする工具収容ケース。
【請求項２】
工具収容ケースの外側に面して該本体ケースの装着部に対して固定可能にされるサブケースであって、
外面には、前記装着部に設けられるガイド部に係合する被ガイド部が設けられ、
前記被ガイド部には、前記装着部に設けられるストッパ部に係合する被ストッパ部が設けられている、ことを特徴とするサブケース。
【請求項３】
工具収容ケースの外側に面して該本体ケースの装着部に対して固定可能にされるサブケースであって、
外面には、陳列用の引掛け孔が設けられている、ことを特徴とするサブケース。
【請求項４】
工具を保持可能な工具収容本体と該工具収容本体を開け閉めする蓋とを有する本体ケースと、外側に面して該本体ケースに固定可能にされるサブケースとを有する工具収容ケースであって、
前記サブケースは、アクセサリを保持可能なアクセサリ保持体と、該アクセサリ保持体を開け閉めするアクセサリ開閉部とを有し、
前記アクセサリ開閉部は、前記サブケースが前記本体ケースに固定された状態でも、前記アクセサリ保持体を開け閉めすることができるように設定されている、ことを特徴とする工具収容ケース。
【請求項５】
工具を保持可能な工具収容本体と該工具収容本体を開け閉めする蓋とを有する本体ケースと、外側に面して該本体ケースに固定可能にされるサブケースとを有する工具収容ケースであって、
前記サブケースは、アクセサリを保持可能なアクセサリ保持体と、該アクセサリ保持体を開け閉めするアクセサリ開閉部とを有し、
前記アクセサリ開閉部は、前記本体ケースの前記蓋の配置に対して相対的に前記工具収容本体の配置の方の端縁に回転軸が設けられて、前記アクセサリ保持体に対して相対的に開け閉めすることができるように設定されている、ことを特徴とする工具収容ケース。
【発明の詳細な説明】
【技術分野】
【０００１】
本発明は、動力工具を含む工具類を収納可能に構成される工具収容ケース、及び、該工具収容ケースの一部として一体分離可能に構成され且つ分離された単体としても汎用可能なサブケースに関する。
【背景技術】
【０００２】
従来、電動工具が収納可能にされる工具収納部と、ビットが収納可能にされるビット収納部とを備えるケースが知られている（例えば、特許文献１参照）。このようなケースは、一般に持ち運び可能にされている。なお、電動工具にあっては、このようなビットのほか、電動工具に付け外しするに際して専用のレンチや専用のスパナ等の専用着脱工具類が必要となる。このため、このような専用着脱工具類にあっても、電動工具とともに持ち運べるようにしておきたい。なお、上記したビット等の刃物類や専用着脱工具類は、総じて電動工具のアクセサリとして称されている。
【先行技術文献】
【特許文献】
【０００３】
【特許文献１】特開２０１１−１３１３５７
【発明の概要】
【発明が解決しようとする課題】
【０００４】
しかしながら、上記したように開示されるケースにあっては、ビット収納部にビットを収めたり、ビット収納部からビットを取り出したりするに際し、その開け閉めする際の動作が面倒である場合がある。
【０００５】
本発明は、このような事情に鑑みなされたものであって、本発明が解決しようとする課題は、動力工具を含む工具類を収納可能に構成される工具収容ケースにおいて、ビット等のアクセサリの収納や取出しを簡単に行うことができるようにすることにある。
【課題を解決するための手段】
【０００６】
上記した課題を解決するにあたって、本発明に係る工具収容ケースおよびサブケースは次の手段をとる。
すなわち、本発明の第１の発明に係る工具収容ケースは、工具を保持可能な工具収容本体と該工具収容本体を開け閉めする蓋とを有する本体ケースと、外側に面して該本体ケースに固定可能にされるサブケースとを有する工具収容ケースであって、前記本体ケースは、手で握ることが可能なハンドル部を有し、前記サブケースは、アクセサリを保持可能なアクセサリ保持体と、該アクセサリ保持体を開け閉めするアクセサリ開閉部とを有し、前記サブケースが固定される前記本体ケースの位置が、該本体ケースの前記ハンドル部の配設側に設定されている、ことを特徴とする。
この第１の発明に係る工具収容ケースによれば、本体ケースは、手で握ることが可能なハンドル部を有している。また、サブケースは、アクセサリを保持可能なアクセサリ保持体と、アクセサリ保持体を開け閉めするアクセサリ開閉部とを有している。ここで、サブケースが固定される本体ケースの位置が、本体ケースのハンドル部の配設側に設定されている。この本体ケースのハンドル部の配設側には、ハンドル部を手で握ることができるように手握り可能なスペースが設けられている。このスペースは、ハンドル部を手で握ることがない場合に空きスペースとして確保される。これによって、ユーザは、この空きスペースを利用して、このハンドル部の配設側に設定されるサブケースに対してアクセスし易くなる。つまり、工具収容ケース全体の大きさを大きくすることなく、本体ケースのハンドル部の配設側に固定されるサブケースに対してアクセスし易くして、もってアクセサリの収納や取出しが簡単に行えるようにすることができる。
【０００７】
また、第２の発明に係るサブケースは、工具収容ケースの外側に面して該本体ケースの装着部に対して固定可能にされるサブケースであって、外面には、前記装着部に設けられるガイド部に係合する被ガイド部が設けられ、前記被ガイド部には、前記装着部に設けられるストッパ部に係合する被ストッパ部が設けられている、ことを特徴とする。
また、第３の発明に係るサブケースは、工具収容ケースの外側に面して該本体ケースの装着部に対して固定可能にされるサブケースであって、外面には、陳列用の引掛け孔が設けられている、ことを特徴とする。
また、第４の発明に係る工具収容ケースは、工具を保持可能な工具収容本体と該工具収容本体を開け閉めする蓋とを有する本体ケースと、外側に面して該本体ケースに固定可能にされるサブケースとを有する工具収容ケースであって、前記サブケースは、アクセサリを保持可能なアクセサリ保持体と、該アクセサリ保持体を開け閉めするアクセサリ開閉部とを有し、前記アクセサリ開閉部は、前記サブケースが前記本体ケースに固定された状態でも、前記アクセサリ保持体を開け閉めすることができるように設定されている、ことを特徴とする。
また、第５の発明に係る工具収容ケースは、工具を保持可能な工具収容本体と該工具収容本体を開け閉めする蓋とを有する本体ケースと、外側に面して該本体ケースに固定可能にされるサブケースとを有する工具収容ケースであって、前記サブケースは、アクセサリを保持可能なアクセサリ保持体と、該アクセサリ保持体を開け閉めするアクセサリ開閉部とを有し、前記アクセサリ開閉部は、前記本体ケースの前記蓋の配置に対して相対的に前記工具収容本体の配置の方の端縁に回転軸が設けられて、前記アクセサリ保持体に対して相対的に開け閉めすることができるように設定されている、ことを特徴とする。
【図面の簡単な説明】
【０００８】
【図１】工具収容ケースの右上斜視の全体外観を示す全体外観斜視図である。
【図２】図１の電動工具ケースの正面図である。
【図３】図１の丸抜き(III)部分を拡大して示す拡大斜視図である。
【図４】図３においてアクセサリケースを取り外して示す拡大斜視図である。
【図５】右上斜視のアクセサリケースを単体で示す外観斜視図である。
【図６】図５のアクセサリケースの右側側面を示す側面図である。
【図７】図５のアクセサリケースの上面を示す上面図である。
【図８】図５のアクセサリケースの背面を示す正面図である。
【図９】図８の(IX)-(IX)断面矢視を示す断面図である。
【図１０】アクセサリ蓋部を開けたアクセサリケースを示す斜視図である。
【図１１】アクセサリ蓋部を開けたアクセサリケースを示す側面図である。
【図１２】本体ケースに収納した状態のアクセサリ蓋部を開けたアクセサリケースを示す斜視図である。
【図１３】本体ケースに収納した状態のアクセサリ蓋部を開けた図１２の(XIII)-(XIII)断面矢視を示す断面図である。
【図１４】本体ケースに対するアクセサリケースの収納保持構造を図１２の(XIV)-(XIV)断面矢視にて示す断面図である。
【図１５】第２の実施の形態のアクセサリケースを示す正面側外観斜視図である。
【図１６】図１５のアクセサリケースを示す背面側外観斜視図である。
【図１７】図１５のアクセサリケースの右側側面を示す側面図である。
【図１８】図１５のアクセサリケースの上面を示す上面図である。
【図１９】図１５のアクセサリケースの下面を示す下面図である。
【図２０】図１５のアクセサリケースの正面を示す正面図である。
【図２１】図１５のアクセサリケースの背面を示す背面図である。
【図２２】図２０の(XXII)-(XXII)断面矢視を示す断面図である。
【図２３】アクセサリ扉部を開けたアクセサリケースを示す斜視図である。
【図２４】アクセサリ扉部を開けたアクセサリケースを示す側面図である。
【図２５】図１５のアクセサリケースの変形例を示す正面側外観斜視図である。
【図２６】図１５のアクセサリケースに引掛けタブが設けられる例を示す正面側外観斜視図である。
【図２７】図２６のアクセサリケースを示す背面側外観斜視図である。
【図２８】図２６のアクセサリケースの変形例を示す正面側外観斜視図である。
【図２９】図２８のアクセサリケースを示す背面側外観斜視図である。
【図３０】引掛けタブを取り外した単品にて示す正面図である。
【発明を実施するための形態】
【０００９】
［第１の実施の形態］
以下、本発明に係る工具収容ケース及びサブケースを実施するための形態について説明する。なお、以下の説明では、本発明に係る工具収容ケースとして、電動工具を収容可能に構成される電動工具ケースを例示して説明する。また、本発明に係るサブケースとして、この電動工具に利用されるアクセサリを収容可能に構成されるアクセサリケースを例示して説明する。
まず、本発明の第１の実施の形態について説明する。すなわち、図１の斜視図における符号１０は、電動工具ケースを示している。図２は、この電動工具ケース１０の正面図となっている。図３の斜視図は、図１の丸抜き(III)の部分を拡大して示している。図４の斜視図は、図３においてアクセサリケース５０を取り外して示している。
なお、各図中に記載しているが、この電動工具ケース１０に関しての上下左右正面背面の方向についてを、この電動工具ケース１０の通常の使用方法を鑑みて規定している。つまり、この電動工具ケース１０の上下左右正面背面の方向は、この電動工具ケース１０に不図示の電動工具を収納したりおよび取出したりすることを考えて規定している。このため、電動工具ケース１０の正面側にユーザがいる場合に、このユーザは電動工具ケース１０に対して、不図示の電動工具の収納および取出しを容易に行うことができる。
電動工具ケース１０は、図１等に示すように、概略、本体ケース１１と、アクセサリケース５０とを備える。本体ケース１１は、通常の電動工具ケースと略同様に構成される。本体ケース１１は、概略、工具収容本体１５と、蓋２５とを有する。なお、この本体ケース１１は、地面の上や机の上に置いて内部に電動工具が収納されたり、あるいは内部に収納される電動工具が取り出されたりする。つまり、図１に示す符号１５１は工具収容本体１５の下面を示しており、符号１５２は工具収容本体１５の上面を示しており、符号１５３は工具収容本体１５の側面を示しており、符号１５４は工具収容本体１５の正面を示している。つまり、地面の上や机の上に本体ケース１１を載置した場合には、工具収容本体１５は、蓋２５に対して相対的に下側に配置される。工具収容本体１５のうち机と対面する面は、本体ケース１１を机の上に置く際の下面となる載置面１４として構成される。
【００１０】
工具収容本体１５と蓋２５とを備える本体ケース１１は、ブロー成形または射出成形により形成されるケースとなっている。この工具収容本体１５の内部には、不図示の電動工具を保持することができる形状が設けられている。すなわち、工具収容本体１５の内部には、収納される電動工具の形状に対応した形状が形成されている。このため、工具収容本体１５の内部の電動工具の形状に対応した形状によって、工具収容本体１５の内部に収納される電動工具を保持しておくことができる。蓋２５は、工具収容本体１５の上面側を開け閉めするように工具収容本体１５の背面側にて工具収容本体１５とヒンジ結合されている。この工具収容本体１５に対しての蓋２５のヒンジ結合は、このヒンジ結合される部分（不図示）を回動軸として工具収容本体１５に対して蓋２５を相対的に軸回動させることができる。蓋２５は、この工具収容本体１５に対する軸回動により、工具収容本体１５に対して開け閉め可能にされている。言い換えれば、このヒンジ結合が設けられる本体ケース１１の背面側とは反対側となる本体ケース１１の正面側は、蓋２５の開き側となっている。この蓋２５の開き側となる正面側には、工具収容本体１５に対する蓋２５の閉じ状態を保持するラッチ１２ａ，１２ｂが設けられている。
【００１１】
ラッチ１２ａ，１２ｂは、本体ケース１１の正面側の側面において対をなすように２つ設けられている。この対をなす２つのラッチ１２ａ，１２ｂは、本体ケース１１の正面側の側面において左右両側に均等配置される。このラッチ１２ａ，１２ｂは、通常のラッチと略同様に構成される。このラッチ１２ａ，１２ｂは、工具収容本体１５に対して支持されており、閉じられた蓋２５を保持可能に構成される。つまり、ラッチ１２ａ，１２ｂには、閉じられた蓋２５を掛止することができる構成を有して、工具収容本体１５に支持されている。なお、本体ケース１１の背面側には、脚部１３ａ，１３ｂが設けられている。脚部１３ａ，１３ｂは、本体ケース１１の背面側を下側にして本体ケース１１の正面側を上側にして本体ケース１１を起立させた場合に、この本体ケース１１の起立を支持する脚構造をなすようになっている。この本体ケース１１の正面側には、後に詳述するケース収納部４０が設けられている。また、このケース収納部４０の左右両側には、正面側に突き出される下突出部１６ａ，１６ｂおよび上突出部１７ａ，１７ｂが設けられている。
また、本体ケース１１の正面側には、ベルト孔１８ａ，１８ｂが設けられている。ベルト孔１８ａ，１８ｂには、この電動工具ケース１０をぶら下げるためのベルトを引掛けるための孔として形成される。また、この左側のベルト孔１８ｂの隣には、南京錠用の留め孔１９ａ，１９ｂが設けられている。具体的には、南京錠用の留め孔１９ａ，１９ｂは、工具収容本体１５側に設けられる本体側孔１９ａと、蓋２５側に設けられる蓋側孔１９ｂとを有して構成される。
【００１２】
上記したように、左右両側に均等配置されて対をなすラッチ１２ａ，１２ｂ同士の間には、手で握ることが可能なハンドル３０が設けられている。このハンドル３０は、本体ケース１１の正面側の側面に設けられている。ハンドル３０は、ハンドル本体３１と、不図示の軸支持部とを備える。なお、不図示の軸支持部は、工具収容本体１５に対して形成され、工具収容本体１５に対してハンドル本体３１を回動可能に軸支持させる軸支持構造を有する。
ハンドル本体３１は、一般的なハンドル（握りグリップ）と同様に構成される。すなわち、ハンドル本体３１は、支持架部３２ａ，３２ｂとグリップ部３３とを備え、外観視コ字形をなしている。支持架部３２ａ，３２ｂは、対をなすように左右両側に配置される。この支持架部３２ａ，３２ｂの基端部分には、上記した不図示の軸支持部が連結される。この支持架部３２ａ，３２ｂの先端部分には、グリップ部３３が連なる。つまり、この支持架部３２ａ，３２ｂの軸支持部結合側の反対側には、グリップ部３３が連接して設けられる。このグリップ部３３は、ユーザに手握り可能な丸棒形状を有して形成される。グリップ部３３の表面には、ディンプル（凹み形状）が複数設けられている。このディンプルは、ユーザがグリップ部３３を手握りした際に、この手握りの滑りを止めるための機能を有する。
【００１３】
ところで、図１では見え難いが、上記した本体ケース１１の正面側の側面には、収納凹部３６が設けられている。この収納凹部３６は、ハンドル本体３１を手握りしない際に、このハンドル本体３１を収納しておくためための凹み形状を有する。すなわち、ハンドル本体３１が自重により下側に垂れ下がった場合には、この収納凹部３６にハンドル本体３１が収納されるようになっている。なお、図１に示すハンドル本体３１は、この本体ケース１１の収納凹部３６に収納されている。また、このハンドル本体３１を手握りするに際しては、下側に垂れ下がったハンドル本体３１を正面側に突き出させるようにハンドル本体３１を持ち上げることにより、グリップ部３３を手握りすることができるようになる。
このハンドル３０が配置される部分には、後に詳述するアクセサリケース５０を収納するケース収納部４０が設けられる。このケース収納部４０は、ハンドル本体３１の支持架部３２ａ，３２ｂ同士の間に位置される。つまり、このケース収納部４０は、本体ケース１１の正面側の側面の中央部分に設けられる。このケース収納部４０は、図４に示すように、次に説明するアクセサリケース５０を収納することができるように、このアクセサリケース５０の外周形状に対応した形状を有して形成されている。つまり、このケース収納部４０は、本発明に係る装着部に相当し、次に説明するアクセサリケース５０を固定可能に設計される。具体的には、ケース収納部４０は、ハンドル３０のグリップ部３３の左右幅と同一幅または小さく形成されており、本体ケース１１の正面側の側面を刳り貫くようにして形成されている。
【００１４】
次に、アクセサリケース５０について説明する。このアクセサリケース５０に収納されるアクセサリとしては、例えば本体ケース１１に収納される電動工具に利用される工具用アクセサリが一般的に挙げられるほか、このような電動工具を用いる現場で利用される適宜の工具用のアクセサリを含み、その用途や種類に関して問われないものである。なお、本体ケース１１に収納される電動工具に付け外しされる先端工具等を、このアクセサリケース５０に収納されるアクセサリとした場合には、この電動工具を使用する際の利便性を高めることとなって好ましい。ところで、アクセサリケース５０は、上記した本体ケース１１の外側に面するように本体ケース１１に固定可能に構成される。逆に言えば、後に詳述するが、本体ケース１１のケース収納部４０は、アクセサリケース５０を収納可能に形成されるとともに、収納されたアクセサリケース５０を固定可能に形成される。
図５の斜視図は、この取り外されたアクセサリケース５０を示している。図６は、図５のアクセサリケース５０の側面図である。図７は、図５のアクセサリケース５０上面図である。図８は、図５のアクセサリケース５０の正面図である。図９の断面図は、図８の(IX)-(IX)断面矢視を示している。図１０の斜視図は、アクセサリ蓋部６１を開けたアクセサリケース５０を示している。図１１の側面図は、アクセサリ蓋部６１を開けたアクセサリケース５０を示している。図１２の斜視図は、本体ケース１１に収納した状態のアクセサリ蓋部６１を開けたアクセサリケース５０を示している。図１３の断面図は、本体ケース１１に収納した状態のアクセサリ蓋部６１を開けた図１２の(XIII)-(XIII)断面矢視を示している。図１４の断面図は、本体ケース１１に対するアクセサリケース５０の収納保持構造を図１２の(XIV)-(XIV)断面矢視にて示している。アクセサリケース５０は、図５等に示すように、概略、アクセサリ保持体５１と、アクセサリ蓋部６１と、開閉ラッチ７１とを備える。なお、この第１の実施の形態におけるアクセサリ蓋部６１は、本発明に係るアクセサリ開閉部に相当する。アクセサリ保持体５１は、上側が開口された箱状をなしており、アクセサリを内部に収容することができるようになっている。アクセサリ蓋部６１は、このアクセサリ保持体５１の開口された上側を開け閉め可能にする蓋状をなしている。
【００１５】
次に、アクセサリケース５０を構成するアクセサリ保持体５１とアクセサリ蓋部６１について詳細に説明する。これらアクセサリ保持体５１およびアクセサリ蓋部６１は、適宜のプラスチック樹脂を材料として成形される成形部材となっている。
アクセサリ保持体５１は、図１０および図１１に示すように、開口部５２が設けられた箱形をなす。この開口部５２は、このアクセサリ保持体５１の内部に上記したアクセサリを収納することができるように開口される。この開口部５２は、アクセサリ保持体５１の上側範囲の正面側半分を切り欠くような開口形状を有している。また、この開口部５２は、アクセサリ保持体５１の正面側範囲の上側半分を切り欠くような開口形状を有している。このように開口形状が設定される開口部５２は、このアクセサリ保持体５１の上側および正面側から内部に向けてアクセサリを収納することができる。また逆に、この開口部５２は、このアクセサリ保持体５１の上側および正面側に向けて内部からアクセサリを取り出すことができる。なお、このように設定される開口部５２は、アクセサリ保持体５１の上側範囲と正面側範囲との両側範囲を半分ずつ切り欠くような開口形状となっているため、後に説明するアクセサリ蓋部６１を開けた場合には、このアクセサリ保持体５１の内部に収納されるアクセサリを外部に露出させ易くする。つまり、アクセサリ保持体５１の内部に収納されるアクセサリを取り出すにあたって、アクセサリ蓋部６１を開けた場合のアクセサリを掴み易くさせるようになっている。
【００１６】
開口部５２の背面側は、背面箱形部５３として設定される。背面箱形部５３は、本体ケース１１のケース収納部４０に対応した形状と、本体ケース１１の外面に対応した形状と、開閉ラッチ７１に対応した形状とが設けられている。具体的には、背面箱形部５３の背面側部分５３１は、アクセサリ保持体５１の主たる背面５４１と面一に構成される。この背面箱形部５３の背面側部分５３１は、図９等に示すように上下に延びる面一形状を有している。この面一形状をなす背面側部分５３１は、図４に示すケース収納部４０の内周面４２として設定される面一形状に対応している。
背面箱形部５３の上面側部分５３２は、アクセサリ保持体５１の背面側の上面としても設定される。この背面箱形部５３の上面側部分５３２は、左右両側にて設定されるケース面一部５３３と、これらケース面一部５３３に挟まれる係合凹み部５３４とを備える。ケース面一部５３３は、上側に張り出すように形成される。このように上側に張り出されたケース面一部５３３は、本体ケース１１のケース収納部４０にアクセサリケース５０を収納した際に、図３に示すように本体ケース１１の外側形状に対応した面一形状をなすように形成される。なお、このアクセサリケース５０の下面として設定されるアクセサリ保持体５１の下面５４２も、図９に示すように、本体ケース１１のケース収納部４０にアクセサリケース５０を収納した際に、本体ケース１１の外側形状に対応した適宜の凹凸形状をなすように形成される。さらに、アクセサリ保持体５１の正面５４３も、上記したアクセサリケース５０の下面５４２と略同様に形成される。つまり、アクセサリ保持体５１の正面５４３も、本体ケース１１のケース収納部４０にアクセサリケース５０を収納した際に、本体ケース１１の外側形状に対応した面一形状をなすように形成される。
【００１７】
ケース面一部５３３に挟まれる係合凹み部５３４は、背面箱形部５３の上面側部分５３２の中央範囲に設定される。この係合凹み部５３４は、ケース面一部５３３よりも一段下側に下げられる凹み形状を有して形成される。この係合凹み部５３４の凹み形状は、図３に示すように本体ケース１１の外側形状として形成される指入れ凹部２７に対応した凹み形状にて設定される。図９に示すように、この係合凹み部５３４には、後に説明する開閉ラッチ７１が係合される係合フック５３５が設けられている。この係合フック５３５は、上側に突き出されて係止凸部５３６を有するフック形状にて成されている。この係合凹み部５３４の右側端には、バンド差込孔５３９（５３９ａ，５３９ｂ）が設けられている。このバンド差込孔５３９も、係合凹み部５３４から上側に突き出された差込孔形状を有して形成され、後に説明する結束バンドを差し込むことができるようになっている。なお、バンド差込孔５３９は、図１０に示すように、アクセサリ保持体５１に設けられる第１バンド差込孔５３９ａと、アクセサリ蓋部６１に設けられる第２バンド差込孔５３９ｂとを合体させることにより形成される。
また、図３に示すように、本体ケース１１の指入れ凹部２７にも、これと略同様なバンド差込孔２７１が設けられている。この指入れ凹部２７に設けられるバンド差込孔２７１にあっても、指入れ凹部２７から上側に突き出された差込孔形状を有して形成され、後に説明する結束バンドを差し込むことができるようになっている。なお、この結束バンドは、アクセサリケース５０のバンド差込孔５３９と、本体ケース１１のバンド差込孔２７１との両方に差し込まれて、アクセサリケース５０と本体ケース１１とを結束するように機能する。この結束バンドとしては、例えばインシュロック（登録商標）とも称されるプラスチック樹脂製のバンドが挙げられる。
なお、図１０に示す符号５３７，５３８は、上記した背面箱形部５３を形成するにあたっての嵌合構造を構成している。すなわち、図１０に示すように、背面箱形部５３には、外側に向けて嵌合可能な嵌合爪部５３７が設けられている。この嵌合爪部５３７は、アクセサリ保持体５１に設けられる嵌合孔５３８に対して嵌合可能となっている。このような嵌合構造が設けられることにより、アクセサリ保持体５１のほか部分と同時に背面箱形部５３を成形することができるようになっている。
【００１８】
アクセサリ保持体５１の左右両側の側面５４４も、上記したアクセサリ保持体５１の背面５４１と同様に、図４に示すケース収納部４０の内周面４２として設定される形状に対応している。ただ、このアクセサリ保持体５１の側面５４４と、この側面５４４に対面するケース収納部４０の内周面４２とには、互いに嵌合される嵌合係止構造が設けられている。なお、この嵌合係止構造が設けられる部分以外の、アクセサリ保持体５１の側面５４４と、この側面５４４に対面するケース収納部４０の内周面４２とは、互いに摺接可能な面一形状をなして形成されている。
このアクセサリ保持体５１の両側の側面５４４の嵌合係止構造は、図１０および図１１に示すように、凹溝部５６が設けられることにより形成される。この凹溝部５６は、このアクセサリ保持体５１の下面５４２から上下方向中段位置まで凹溝を延ばすようにして形成されている。このように設けられる凹溝部５６は、図６および図１１に示すように、下面５４２に面する部分が、前後の溝幅が最も幅広となるように設定されており、上側に上がるにしたがって次第に前後の溝幅が狭まるように形成されている。なお、図示左右方向となる溝深さは、アクセサリ保持体５１の下面５４２から上下方向中段位置まで、同一の溝深さになるように設定されている。
【００１９】
この凹溝部５６の上端部分近くにおいては、係止凸部５７および係止雌端部５８が設けられている。この係止凸部５７は、後に説明するケース収納部４０の内周面４２に設けられる凸条部４６の係止凹部４７と嵌合する凸形状をなしている。また、係止雌端部５８は、後に説明するケース収納部４０の内周面４２に設けられる凸条部４６の係止雄端部４８と嵌合する雌形状をなしている。この係止凸部５７は、左右方向の外側に丸みを帯びながら凸状に突き出された形状を有する。具体的には、係止凸部５７の外周面は、この凹溝部５６が延びる上下方向にしたがった滑らかな曲面形状を有している。
なお、このケース収納部４０の内周面４２に設けられる凸条部４６は、本発明に係るガイド部に相当する。また、係止凹部４７と係止雄端部４８とは、本発明に係るストッパ部に相当する。さらに、この凸条部４６と対応関係にあるアクセサリ保持体５１の凹溝部５６は、本発明に係る被ガイド部に相当する。また、係止凸部５７と係止雌端部５８とは、本発明に係る被ストッパ部に相当する。
また、このアクセサリ保持体５１の下面５４２には、このアクセサリケース５０を単品でも立てさせておくための脚部５９が設けられている。この脚部５９は、図においては見え難いが、このアクセサリ保持体５１の下面５４２に４点支持可能に設けられている。
【００２０】
アクセサリ蓋部６１は、図１０および図１１に示すように、箱形をなすアクセサリ保持体５１の開口部５２を開け閉めする蓋として構成される。すなわち、アクセサリ蓋部６１は、開閉蓋体６２とヒンジ連結部６６とを備える。すなわち、開閉蓋体６２は、上記したアクセサリ保持体５１の開口部５２を塞ぐことが可能な形状を有して形成される。具体的には、アクセサリ保持体５１の切り欠かかれた開口形状となる上側範囲の正面側半分と、アクセサリ保持体５１の切り欠かかれた開口形状となる正面側範囲の上側半分との、両者の開口形状を塞ぐように形成される。また、この開口部５２を塞ぐ開閉蓋体６２の外側形状は、本体ケース１１のケース収納部４０にアクセサリケース５０を収納した際にの本体ケース１１の外側形状に対応した形状を有して形成される。具体的には、開閉蓋体６２の外周面（側面、上面、正面）のそれぞれは、開口部５２を閉じるように配置された場合に、隣接配置されるアクセサリ保持体５１の外周面（側面、上面、正面）と連なる連接形状を有して形成されている。なお、開閉蓋体６２の上面側部分６３にあっても、上記した背面箱形部５３の上面側部分５３２に連なる形状が設けられている。すなわち、開閉蓋体６２の上面側部分６３には、アクセサリ保持体５１側のケース面一部５３３に沿ったケース面一部６３３が設けられている。また、この開閉蓋体６２の上面側部分６３には、アクセサリ保持体５１側の係合凹み部５３４に沿った係合凹み部６３４が設けられている。この係合凹み部６３４には、後に説明する開閉ラッチ７１が取り付けられている。また、開閉蓋体６２の正面側部分６４の下端には、この開閉蓋体６２をアクセサリ保持体５１に連結するヒンジ連結部６６が設けられている。
【００２１】
ヒンジ連結部６６は、概略、ピン部材６７と、ピン保持部６８とを備える。ピン部材６７は、この開閉蓋体６２の正面で左右方向に亘って延びるピンとして形成される。このピン部材６７は、アクセサリ保持体５１に一体に設けられる保持体側保持部６８１にて支持されている。また、このように支持されるピン部材６７は、アクセサリ蓋部６１に一体に設けられる蓋部側保持部６８２を回転可能に軸支持する。このようにして、蓋部側保持部６８２は、保持体側保持部６８１に対してピン部材６７により相対回転可能にされる。このようにして、アクセサリ蓋部６１は、ヒンジ連結部６６により、アクセサリ保持体５１の開口部５２を開け閉めするように動かすことができる。なお、このピン部材６７は、本発明に係る回転軸に相当する。また、このピン部材６７を支持する保持体側保持部６８１は、アクセサリ保持体５１の開口部５２の開口端縁に沿って設けられている。つまり、ピン保持部６８は、アクセサリ保持体５１に一体に設けられる保持体側保持部６８１がピン部材６７を保持しており、アクセサリ蓋部６１に一体に設けられる蓋部側保持部６８２は、このピン部材６７により軸支持される関係にある。
開閉ラッチ７１は、図９に示すように、上記した係合凹み部５３４に設けられる係合フック５３５と係合可能に構成される。この開閉ラッチ７１は、一般的なラッチと略同様に構成される。すなわち、開閉ラッチ７１は、概略、開閉蓋体６２に支持される回動軸７３と、この回動軸７３により腕部７４を介して回動支持されるラッチ本体７５とを備える。具体的には、図９に示すように、回動軸７３は、開閉蓋体６２に設けられる軸支持部６９により支持されている。ラッチ本体７５は、このように支持される回動軸７３を回転軸として腕部７４を介して開閉蓋体６２に対して相対的に回動可能にされている。ラッチ本体７５には、上記した係合フック５３５に係合する爪部７６が設けられている。これによって、開閉蓋体６２が開口部５２を閉じている場合に、ラッチ本体７５の爪部７６は、アクセサリ保持体５１の係合フック５３５に係合することができる。このようにラッチ本体７５の爪部７６が、アクセサリ保持体５１の係合フック５３５に係合すると、この開閉蓋体６２による開口部５２の閉じ状態を保持することができる。
【００２２】
次に、ケース収納部４０の内周面４２の左右方向の両側に設けられる凸条部４６について説明する。この凸条部４６は、図１３および図１４に示すように、上記したアクセサリ保持体５１に設けられる凹溝部５６に対して差込可能に構成される。この凸条部４６は、図４に示すように、内周側に突き出された形状を有して上下に延びる凸条にて形成される。この凸条部４６は、上記した凹溝部５６の配設範囲に対応するように、上記した凹溝部５６の配設範囲と同様に設けられる。すなわち、凸条部４６の凸条は、ケース収納部４０の内周面４２のうち、下面となる載置面１４から上下方向中段位置まで凸条を延ばすようにして形成されている。この凸条部４６も、上記した凹溝部５６と同様、図１３に示すように、下面となる載置面１４に面する部分が、前後の凸条幅が最も幅広となるように設定されており、上側に上がるにしたがって次第に前後の凸条幅が狭まるように形成されている。なお、図示左右方向となる凸条の突き出し長さは、下面となる載置面１４から上下方向中段位置まで、同一の突き出し長さになるように設定されている。
【００２３】
この凸条部４６の上端部分近くにおいては、係止凹部４７および係止雄端部４８が設けられている。この係止凹部４７および係止雄端部４８は、上記した凹溝部５６の上端部分近くに設けられる係止凸部５７および係止雌端部５８に対応するものである。このため、この係止凹部４７は、係止凸部５７の丸みを帯びながら凸状に突き出される形状とは反対の凹み形状を有している。また、この係止雄端部４８は、係止雌端部５８の凹み形状とは反対の凸形状を有している。具体的には、係止凹部４７の外周面は、凸条部４６が延びる上下方向にしたがった滑らかな曲面形状を有して凹んでいる。このため、上記した凹溝部５６に凸条部４６が差し込まれ、凸条部４６の係止凹部４７に凹溝部５６の係止凸部５７が嵌合するに際しては、滑らかに嵌合されることとなっている。なお、この係止凹部４７と係止凸部５７とは、ケース収納部４０に対するアクセサリケース５０の収納が完了した際に、互いに嵌め合わされた状態となる。つまり、このアクセサリケース５０は、本体ケース１１に対して固定された状態となる。なお、このようにケース収納部４０に収納が完了されたアクセサリケース５０は、本体ケース１１の外周と連なる外周をなすようになる。このため、本体ケース１１に収納されたアクセサリケース５０は、この本体ケース１１の外周の連なるラインから上下に出っ張らせることない。これによって、電動工具ケース１０の載置面を水平方向に保持することができて、これら電動工具ケース１０の複数の段積み（上下方向の積み重ね置き）を可能としている。また、周囲に隣接して置いておくときにも、無駄なスペースをつくることなく隣接して置いておくことができて、省スペースな保管が可能となっている。また、このアクセサリケース５０にあっては、このアクセサリケース５０が本体ケース１１に上記したように固定された状態でも、アクセサリ保持体５１を開け閉めするように、アクセサリ蓋部６１を開け閉め回動させることができるようになっている。つまり、アクセサリケース５０は、アクセサリ蓋部６１が開け閉め可能な本体ケース１１の外部に面するケース収納部４０に収納されている。
【００２４】
上記した第１の実施の形態となる電動工具ケース１０によれば、次の作用効果を奏することができる。すなわち、上記した電動工具ケース１０によれば、本体ケース１１は、手で握ることが可能なハンドル３０を有している。また、アクセサリケース５０は、アクセサリを保持可能なアクセサリ保持体５１と、アクセサリ保持体５１を開け閉めするアクセサリ蓋部６１とを有している。ここで、アクセサリケース５０が固定される本体ケース１１の位置が、本体ケース１１のハンドル３０の配設側に設定されている。つまり、ケース収納部４０は、本体ケース１１のうちハンドル３０の配設側に設定されており、後に説明する構成によりアクセサリケース５０を収納固定可能にされている。この本体ケース１１のハンドル３０の配設側には、ハンドル３０を手で握ることができるように手握り可能なスペースが設けられている。このスペースは、ハンドル３０を手で握ることがない場合に空きスペースとして確保される。これによって、ユーザは、この空きスペースを利用して、このハンドル３０の配設側に設定されるアクセサリケース５０に対してアクセスし易くなる。つまり、電動工具ケース１０全体の大きさを大きくすることなく、本体ケース１１のハンドル３０の配設側に固定されるアクセサリケース５０に対してアクセスし易くして、もってアクセサリの収納や取出しが簡単に行えるようにすることができる。
【００２５】
また、上記した電動工具ケース１０によれば、ケース収納部４０に収納されたアクセサリケース５０にあっては、指入れ凹部２７から指を入れることにより、係合凹み部５３４に設けられる開閉ラッチ７１の操作がし易くなっている。これによって、係合フック５３５に対するラッチ本体７５の係合および係合解除を容易に行えるようにして、アクセサリ蓋部６１の開け閉めを容易に行えるようにしてある。ここで、本体ケース１１には、上記したハンドル本体３１を収納する収納凹部３６が設けられている。図１に示すように載置された本体ケース１１では、この収納凹部３６にハンドル本体３１を収納しておくことができる。このように収納されたハンドル本体３１は、ケース収納部４０に収納されたアクセサリケース５０のアクセサリ蓋部６１の開け閉めに対して邪魔にならないようにする。このため、図１２および図１３に示すように、本体ケース１１のケース収納部４０に収納されたアクセサリケース５０にあっても、このアクセサリケース５０のアクセサリ蓋部６１の開け閉めを容易に行うことができる。なお、ケース収納部４０から取り外されたアクセサリケース５０にあっても、当然にアクセサリケース５０のアクセサリ蓋部６１の開け閉めを容易に行うことができる。
【００２６】
また、上記した電動工具ケース１０によれば、アクセサリケース５０をケース収納部４０に収納するに際して、ケース収納部４０の凸条部４６はアクセサリ保持体５１の凹溝部５６に差し込まれる。これによって、このケース収納部４０に対するアクセサリケース５０の収納は、この凸条部４６の凹溝部５６への差込嵌合によりガイドされることとなる。したがって、ケース収納部４０にアクセサリケース５０を収納する動作の安定性が高められる。また、これら凸条部４６と凹溝部５６とには、互いに嵌合する係止凹部４７と係止凸部５７とが設けられている。これら係止凹部４７と係止凸部５７とは、図１４に示すように、ケース収納部４０に対するアクセサリケース５０の収納が完了した際に互いに嵌め合わされる。これによって、ケース収納部４０に対するアクセサリケース５０の収納は、係止凹部４７と係止凸部５７との嵌め合わせによって保持しておくことができる。また、この係止凹部４７と係止凸部５７との嵌め合わせによって、ユーザはアクセサリケース５０がケース収納部４０に収納が完了したことを判別することができる。
また、上記した電動工具ケース１０によれば、本体ケース１１とアクセサリケース５０とには、バンド差込孔２７１，５３９が設けられているので、このバンド差込孔２７１，５３９に結束バンド等を挿し通すこと等により、出荷時等においてアクセサリケース５０を本体ケース１１から分離されないようにすることができる。
【００２７】
［第２の実施の形態］
次に、上記した第１の実施の形態とは相違する第２の実施の形態について図１５〜図２４を参照しながら説明する。この第２の実施の形態では、第１の実施の形態とはアクセサリケース５０の構成が相違することとなっている。このため、この第２の実施の形態を説明するにあたっては、上記した第１の実施の形態とは相違する構成となるアクセサリケース５０Ａのみを説明し、上記した第１の実施の形態とは同一の構成となる本体ケース１１の説明については省略する。
図１５は、第２の実施の形態のアクセサリケース５０Ａを示す正面側外観斜視図である。図１６は、図１５のアクセサリケース５０Ａを示す背面側外観斜視図である。図１７は、図１５のアクセサリケース５０Ａの右側側面を示す側面図である。図１８は、図１５のアクセサリケース５０Ａの上面を示す上面図である。図１９は、図１５のアクセサリケース５０Ａの下面を示す下面図である。図２０は、図１５のアクセサリケース５０Ａの正面を示す正面図である。図２１は、図１５のアクセサリケースの背面を示す背面図である。図２２は、図２０の(XXII)-(XXII)断面矢視を示す断面図である。図２３は、アクセサリ扉部を開けたアクセサリケース５０Ａを示す斜視図である。図２４は、アクセサリ扉部を開けたアクセサリケース５０Ａを示す側面図である。なお、この第２の実施の形態のアクセサリケース５０Ａについて、上記した第１の実施の形態のアクセサリケース５０と同一あるいは同等に構成される部分については、同一符号あるいは末尾に‘Ａ’を追加した同一符号を図面に付して、その説明を省略する。
図１５〜図２４に示すアクセサリケース５０Ａは、本発明に係るアクセサリ開閉部の具体的な構成を変更した点で、上記した第１の実施の形態のアクセサリケース５０と相違するものとなっている。
【００２８】
すなわち、上記した第１の実施の形態のアクセサリケース５０では、本発明に係るアクセサリ開閉部をアクセサリ蓋部６１として構成していた。これに対し、この第２の実施の形態のアクセサリケース５０Ａでは、本発明に係るアクセサリ開閉部をアクセサリ扉部６１Ａとして構成している。このため、この第２の実施の形態のアクセサリケース５０Ａでは、外観構成を略同一の構成としつつ、アクセサリ蓋部６１の構成をアクセサリ扉部６１Ａの構成に代えるようにしてある。つまり、この第２の実施の形態のアクセサリケース５０Ａにあっても、上記した本体ケース１１のケース収納部４０に収納された場合には、この本体ケース１１の外周と連なる外周をなすようになる。このため、本体ケース１１に収納されたアクセサリケース５０Ａは、この本体ケース１１の外周の連なるラインから上下に出っ張らせることない。これによって、このアクセサリケース５０Ａを用いて電動工具ケースを構成した場合でも、この電動工具ケースの載置面を水平方向に保持することができて、これら電動工具ケースの複数の段積み（上下方向の積み重ね置き）を可能とする。また、周囲に隣接して置いておくときにも、無駄なスペースをつくることなく隣接して置いておくことができて、省スペースな保管が可能となっている。
【００２９】
具体的には、第２の実施の形態のアクセサリケース５０Ａは、アクセサリ保持体５１Ａと、アクセサリ扉部６１Ａと、開閉ラッチ７１とを備える。アクセサリ保持体５１Ａは、正面側が開口された形状にて形成されている。これに対して、アクセサリ扉部６１Ａは、背面側が開口された形状にて形成されている。このアクセサリ扉部６１Ａは、このアクセサリ保持体５１Ａの開口された正面側を開け閉め可能にする扉のように機能する。すなわち、アクセサリ保持体５１Ａとアクセサリ扉部６１Ａとは、両者の下面５４２に設けられるヒンジ連結部６６Ａによりヒンジ連結されている。このヒンジ連結部６６Ａは、図１９に示すように左右方向に沿って延びるように設けられている。このヒンジ連結部６６Ａも、上記した第１の実施の形態と同様、不図示のピン部材と、ピン保持部６８Ａとを備える。不図示のピン部材は、この開閉扉体６２Ａの下面で左右方向に亘って延びるピンとして形成される。このピン部材は、アクセサリ保持体５１Ａに一体に設けられる保持体側保持部６８１Ａにて支持されている。また、このように支持されるピン部材は、アクセサリ扉部６１Ａに一体に設けられる扉部側保持部６８２Ａを回転可能に軸支持する。このようにして、扉部側保持部６８２Ａは、保持体側保持部６８１Ａに対してピン部材により相対回転可能にされる。このようにして、アクセサリ扉部６１Ａは、ヒンジ連結部６６Ａにより、アクセサリ保持体５１Ａの正面開口側を開け閉めするように動かすことができる。
このアクセサリケース５０Ａにあっても、このアクセサリケース５０Ａが本体ケース１１に上記したように固定された状態でも、アクセサリ保持体５１Ａを開け閉めするように、アクセサリ扉部６１Ａを開け閉め回動させることができるようになっている。つまり、アクセサリケース５０Ａは、アクセサリ扉部６１Ａが開け閉め可能な本体ケース１１の外部に面するケース収納部４０に収納されている。
【００３０】
ところで、図２５に示す正面側外観斜視図は、上記した第２の実施の形態となるアクセサリケース５０Ａの変形例となるアクセサリケース５０Ｂである。図２５に示すアクセサリケース５０Ｂの内部には、蛇腹状に間仕切りされた間仕切り部８１が設けられている。この間仕切り部８１は、このアクセサリケース５０Ｂの内部の収納範囲を分けるように機能している。具体的には、この間仕切り部８１は、折り曲げ部８２にて連接された仕切り壁部８３を複数設けることにより構成される。このように複数設けられた仕切り壁部８３同士の間には、収容空間８４が形成される。このようにアクセサリケース５０Ｂの内部に間仕切り部８１が設けられると、この間仕切り部８１にて形成される複数の収容空間８４により、アクセサリケース５０Ｂの内部に収納するアクセサリの整頓が行い易いようになる。なお、このアクセサリケース５０Ｂは、アクセサリ保持体５１Ｂの正面側が全て開くようになっている。これによって、間仕切り部８１にて間仕切りされた内部からアクセサリを取り出したり、間仕切り部８１にて間仕切りされた内部に向けてアクセサリを収納したりするのに有利となっている。
次に、第２の実施の形態のアクセサリケース５０Ａに引掛けタブ８５，８５Ａが設けられた、アクセサリケース５０Ａの変形例となるアクセサリケース５０Ｃについて説明する。図２６に示す正面側外観斜視図は、図１５のアクセサリケース５０Ａに引掛けタブ８５が設けられているアクセサリケース５０Ｃである。図２７は、図２６のアクセサリケース５０Ｃを示す背面側外観斜視図である。すなわち、図２６および図２７に示すように、このアクセサリケース５０Ｃには引掛けタブ８５が設けられている。この引掛けタブ８５は、アクセサリ保持体５１Ａの上部に、このアクセサリ保持体５１Ａと一体となるようにして設けられている。
【００３１】
具体的には、引掛けタブ８５は、上記した係合凹み部５３４の背面側の端縁に対して上側に突き出されるように設けられている。この引掛けタブ８５には、適宜のフックを引掛けることが可能な引掛け孔８６が設けられている。また、この引掛け孔８６の下部には、引掛け易くするための拡大孔８７が設けられている。また、図２７に示す符号８８は、肉抜き孔である。このようにして、このアクセサリケース５０Ｃは、単品としても商品として流通させることができるようになっている。なお、この引掛けタブ８５の引掛け孔８６に挿し通されるフックとしては、商品陳列において広く利用されている陳列用フックを想定している。なお、このようなアクセサリケース５０Ｃのような例では、商品購入後に上記したアクセサリケース５０Ｂの例として構成することができるように、アクセサリケース５０Ｃに設けられている引掛けタブ８５を取り外せるようにしてあることが好ましい。このような引掛けタブ８５を取り外すための構成としては、この引掛けタブ８５のアクセサリ保持体５１Ａに接続される部分をハサミなどで切断することによってアクセサリ保持体５１Ａから引掛けタブ８５を切り離し可能としてあったり、この引掛けタブ８５のアクセサリ保持体５１Ａに接続される部分を折ることによってアクセサリ保持体５１Ａから引掛けタブ８５を切り離し可能としてあったり、すること等が考えられる。
【００３２】
図２８および図２９は、上記したアクセサリケース５０Ｃの変形例となるアクセサリケース５０Ｄである。図２８に示す正面側外観斜視図は、図２６のアクセサリケース５０Ｄの変形例となるアクセサリケース５０Ｄである。図２９は、図２８のアクセサリケース５０Ｄを示す背面側外観斜視図である。図３０は、引掛けタブ８５Ａを取り外した単品にて示す正面図である。図２８および図２９に示すアクセサリケース５０Ｄは、図３０に引掛けタブ８５Ａを、アクセサリ保持体５１Ａとアクセサリ扉部６１Ａと開閉ラッチ７１とにより挟み込むようにして設けられる例である。この引掛けタブ８５Ａには、上記した引掛けタブ８５と同様に、適宜のフックを引掛けることが可能な引掛け孔８６Ａが設けられている。また、この引掛け孔８６Ａの下部には、引掛け易くするための拡大孔８７Ａが設けられている。また、この引掛けタブ８５Ａの下部には、アクセサリ保持体５１Ａとアクセサリ扉部６１Ａと開閉ラッチ７１との間で両者によって挟み込まれた場合に、このアクセサリケース５０Ｄの内部で係合可能とされるタブ係合部８９が設けられている。このタブ係合部８９には、上記した開閉ラッチ７１を逃げさせるための第１開口部８９１と、上記したバンド差込孔５３９を逃げさせるための第２開口部８９２とが設けられている。このようにして、上記したアクセサリケース５０Ｂに対して簡単に引掛けタブ８５Ａを取り付けることができる。また、アクセサリ保持体５１Ａとアクセサリ扉部６１Ａとによる挟み込みを解除した場合には、この引掛けタブ８５Ａを簡単に取り外すことができる。
【００３３】
上記した第２の実施の形態を含む各種のアクセサリケース５０Ａ，５０Ｂ，５０Ｃ，５０Ｄにあっては、上記した第１の実施の形態となるアクセサリケース５０と同様の作用効果を奏することができる。つまり、これらのアクセサリケース５０Ａ，５０Ｂ，５０Ｃ，５０Ｄを本体ケース１１に収納して電動工具ケースを構成した場合であっても、上記した第１の実施の形態となる電動工具ケース１０と同様の作用効果を奏することができる。なお、これらのアクセサリケース５０Ａ，５０Ｂ，５０Ｃ，５０Ｄでは、図２３および図２４に示すように正面側が全て開くこととなる。これによって、これらのアクセサリケース５０Ａ，５０Ｂ，５０Ｃ，５０Ｄに収納されるアクセサリを外部に露出させるに際しての、アクセサリの外部露出度合いを高めることができる。したがって、アクセサリの収納および取出しのし易さを高めることとができる。なお、上記した第１の実施の形態のアクセサリケース５０では、アクセサリ蓋部６１を開けた場合でも、アクセサリ保持体５１の内部でアクセサリを良好に保持することに優れている。
なお、本発明に係る工具収容ケースとしては、上記した第１の実施の形態および第２の実施の形態の電動工具ケースの例に限定されることなく、適宜の動力工具を含む工具類を収納可能に構成されるケースであれば、これに含まれるものである。また、本発明に係るサブケースとしては、上記したアクセサリケースの例に限定されることなく、工具収容ケースの一部として一体分離可能に構成され且つ分離された単体としても汎用可能なケースであれば、これに含まれるものである。
【符号の説明】
【００３４】
１０  電動工具ケース（工具収容ケース）
１１  本体ケース
１２ａ，１２ｂ  ラッチ
１３ａ，１３ｂ  脚部
１４  載置面
１５  工具収容本体
１５１  下面
１５２  上面
１５３  側面
１５４  正面
１６ａ，１６ｂ  下突出部
１７ａ，１７ｂ  上突出部
１８ａ，１８ｂ  ベルト孔
１９ａ  本体側孔
１９ｂ  蓋側孔
２５  蓋
２７  凹部
２７１  バンド差込孔
３０  ハンドル
３１  ハンドル本体
３２ａ，３２ｂ  支持架部
３３  グリップ部
３６  収納凹部
４０  ケース収納部（装着部）
４２  内周面
４６  凸条部（ガイド部）
４７  係止凹部（ストッパ部）
４８  係止雄端部（ストッパ部）
５０，５０Ａ，５０Ｂ，５０Ｃ，５０Ｄ  アクセサリケース（サブケース）
５１，５１Ａ，５１Ｂ  アクセサリ保持体
５２  開口部（開口端縁）
５３  背面箱形部
５３１  背面側部分
５３２  上面側部分
５３３  ケース面一部
５３４  係合凹み部
５３５  係合フック
５３６  係止凸部
５３７  嵌合爪部
５３８  嵌合孔
５３９  バンド差込孔
５４１  背面
５４２  下面
５４３  正面
５４４  側面
５６  凹溝部（被ガイド部）
５７  係止凸部（被ストッパ部）
５８  係止雌端部（被ストッパ部）
５９  脚部
６１  アクセサリ蓋部（アクセサリ開閉部）
６１Ａ  アクセサリ扉部（アクセサリ開閉部）
６２  開閉蓋体
６２Ａ  開閉扉体
６３  上面側部分
６３３  ケース面一部
６３４  係合凹み部
６４  正面側部分
６６，６６Ａ  ヒンジ連結部
６７  ピン部材（回転軸）
６８，６８Ａ  ピン保持部
６８１，６８１Ａ  保持体側保持部
６８２  蓋部側保持部
６８２Ａ  扉部側保持部
６９  軸支持部
７１  開閉ラッチ
７３  回動軸
７４  腕部
７５  ラッチ本体
７６  爪部
８１  間仕切り部
８２  折り曲げ部
８３  壁部
８４  収容空間
８５，８５Ａ  引掛けタブ
８６，８６Ａ  引掛け孔
８７，８７Ａ  拡大孔
８８  肉抜き孔
８９  タブ係合部
８９１，８９２  開口部
【図１】
2014128851.tif 000003
【図２】
2014128851.tif 000004
【図３】
2014128851.tif 000005
【図４】
2014128851.tif 000006
【図５】
2014128851.tif 000007
【図６】
2014128851.tif 000008
【図７】
2014128851.tif 000009
【図８】
2014128851.tif 000010
【図９】
2014128851.tif 000011
【図１０】
2014128851.tif 000012
【図１１】
2014128851.tif 000013
【図１２】
2014128851.tif 000014
【図１３】
2014128851.tif 000015
【図１４】
2014128851.tif 000016
【図１５】
2014128851.tif 000017
【図１６】
2014128851.tif 000018
【図１７】
2014128851.tif 000019
【図１８】
2014128851.tif 000020
【図１９】
2014128851.tif 000021
【図２０】
2014128851.tif 000022
【図２１】
2014128851.tif 000023
【図２２】
2014128851.tif 000024
【図２３】
2014128851.tif 000025
【図２４】
2014128851.tif 000026
【図２５】
2014128851.tif 000027
【図２６】
2014128851.tif 000028
【図２７】
2014128851.tif 000029
【図２８】
2014128851.tif 000030
【図２９】
2014128851.tif 000031
【図３０】
2014128851.tif 000032